(57)【特許請求の範囲】
【請求項１】
ディスク(６)が回転自在に取り付けられるトレイ(４)が、キャビネット(２)内に収納された閉位置と、キャビネット(２)から排出された開位置との間を前後移動可能に設けられたディスク記録又は再生装置に於いて、
キャビネット(２)の天面には、ディスク(６)の通過を許す切欠き(22)が開設され、キャビネット(２)とトレイ(４)の間には、閉位置のトレイ(４)に被さり切欠き(22)を覆う第１の位置と、第１の位置から後退して切欠き(22)から外れた第２の位置との間を移動するカバー体(７)が配備され、
トレイ(４)とカバー体(７)の間には、トレイ(４)の移動に連繋してカバー体(７)をトレイ(４)とは逆向きに第１の位置と第２の位置との間で移動させる搬送機構(１)が配備され、トレイ(４)及びカバー体(７)は、ディスク(６)の直径の略半分の距離だけ移動することを特徴とするディスク記録又は再生装置。
【請求項２】
搬送機構(１)は、トレイ(４)の上面及びカバー体(７)の下面に形成されたラック(41)(70)と、トレイ(４)とカバー体(７)の間に配備され、両ラック(41)(70)に噛合するギア(10)を具える請求項１に記載のディスク記録又は再生装置。
【発明の詳細な説明】
【０００１】
【発明の属する技術分野】
本発明は、キャビネットに、ディスクが回転自在に取り付けられるトレイを出没自在に設けたディスク記録又は再生装置に関する。
【０００２】
【従来の技術】
斯種ディスク記録又は再生装置には、図１１に示すように、キャビネット(２)にトレイ(４)を出没可能に設けたものがある。トレイ(４)はキャビネット(２)内にギア(10)に噛合して駆動され、キャビネット(２)から排出した状態でディスク(６)が上から載置される。即ち、キャビネット(２)は少なくともディスク(６)の直径に略等しい長さだけ外向きに突出する。以下の記載では、トレイ(４)をキャビネット(２)内に挿入する方向を前方、トレイ(４)がキャビネット(２)から排出される方向を後方とする。また、トレイ(４)がキャビネット(２)内に収納された位置を閉位置、トレイ(４)がキャビネット(２)から排出された位置を開位置と呼ぶ。
斯種ディスク記録又は再生装置には、図１２に示すように、キャビネット(２)の天面に、ターンテーブル(51)を具えた記録再生ユニット(５)を設け、該天面にディスク(６)に被さる蓋体(28)を枢支(29)したものもある。
【０００３】
【発明が解決しようとする課題】
図１１に示す装置では、キャビネット(２)の天面に物を置くことはできても、トレイ(４)がディスク(６)の直径分だけ突出するから、キャビネット(２)の正面に対向して物を置くには、該物をキャビネット(２)からディスク(６)の直径分以上離さなければならない。即ち、無駄な空間が大きくなっていた。
また、図１２に示す装置では、蓋体(28)上に物を置くことはできない。
出願人は、キャビネット(２)に対しトレイ(４)を出没させる装置にて、トレイ(４)が突出する距離を短くすれば、キャビネット(２)の上に物を置くことができるとともに、キャビネット(２)の正面近傍に物を置くことができることに着目した。
本発明の目的は、キャビネットの上に物を置くことができるとともに、キャビネットの正面近傍に物を置くことができるディスク記録又は再生装置を提供することにある。
【０００４】
【課題を解決する為の手段】
キャビネット(２)の天面には、ディスク(６)の通過を許す切欠き(22)が開設され、キャビネット(２)とトレイ(４)の間には、閉位置のトレイ(４)に被さり切欠き(22)を覆う第１の位置と、第１の位置から後退して切欠き(22)から外れた第２の位置との間を移動するカバー体(７)が配備され、
トレイ(４)とカバー体(７)の間には、トレイ(４)の移動に連繋してカバー体(７)をトレイ(４)とは逆向きに第１の位置と第２の位置との間で移動させる搬送機構(１)が配備され、トレイ(４)及びカバー体(７)は、ディスク(６)の直径の略半分の距離だけ移動する。
【０００５】
【作用及び効果】
トレイの閉位置
トレイ(４)が閉位置にあるときは、カバー体(７)はトレイ(４)に被さり切欠き(22)を覆う。トレイ(４)は前後に出没するから、キャビネット(２)の上に物を置くことができる。
トレイの開位置
トレイ(４)が閉位置から開位置に移動する、即ちキャビネット(２)から排出するときは、トレイ(４)はディスク(６)の直径の略半分の距離だけ移動する。搬送機構(１)によりカバー体(７)はトレイ(４)とは逆向きにディスク(６)の直径の略半分の距離だけ移動して、第２の位置に達する。この第２の位置ではカバー体(７)は切欠き(22)から外れ、且つトレイ(４)がキャビネット(２)からディスク(６)の直径の略半分の距離だけ突出しているから、トレイ(４)の上方はディスク(６)の直径に略等しい前後長さだけ開いている。これにより、ディスク(６)を切欠き(22)を通ってトレイ(４)に載置することができる。
このように、本発明に関わる装置では、トレイ(４)をディスク(６)の直径の略半分の距離だけキャビネット(２)から排出するとともに、カバー体(７)をディスク(６)の直径の略半分の距離だけトレイ(４)と逆向きに移動させることにより、トレイ(４)にディスク(６)を載置することができる。従って、トレイ(４)がキャビネット(２)から突出する量を従来よりも少なくでき、キャビネット(２)の正面近傍に物を置くことができる。また、カバー体(７)の移動量は、ディスク(６)の直径の略半分であるから、キャビネット(２)の奥行きはディスク直径分の長さだけあればよく、キャビネット(２)は前後に長くならない。
【０００６】
【発明の実施の形態】
第１実施例
(全体構成)
以下、本発明の一例を図を用いて詳述する。
図１(a)、(b)は、ディスク記録又は再生装置の斜視図であり、(a)はトレイ(４)の閉位置を、(b)はトレイ(４)の開位置を夫々示す。トレイ(４)はキャビネット(２)内に設けられたガイド溝(図示せず)に沿って出没自在に設けられ、ディスク(６)を保護する観点から、トレイ(４)の閉位置にて、信号が記録又は再生される。
キャビネット(２)の正面には、複数の操作釦(24)(24)が設けられ、キャビネット(２)の天面には、ディスク(６)の通過を許す半円形の切欠き(22)が設けられている。切欠き(22)は開口をキャビネット(２)の後端に向けている。トレイ(４)の天面裏側には、透明な板状のカバー体(７)が前後移動可能に設けられ、トレイ(４)が閉位置では、カバー体(７)が閉位置のトレイ(４)に被さり切欠き(22)を覆う。
【０００７】
トレイ(４)上には、記録再生ユニット(５)が防振部材(図示せず)を介して取り付けられ、ディスク(６)の周縁部に対向する部分にはディスク(６)を取り出す際に指を挿入する凹部(43)(43)が設けられている。
記録再生ユニット(５)は、ベース(50)上にピックアップ(55)及びターンテーブル(51)を周知の如く具え、ターンテーブル(51)は所謂ボールチャッキング方式でディスクを把持する。ボールチャッキング方式とは、図５に示すように、ターンテーブル(51)の側面に周溝(52)を形成し、該周溝(52)内に外向きにバネ(53)付勢されたボール(54)を嵌める。ターンテーブル(51)の側面にディスク(６)を嵌めると、ボール(54)がディスク(６)の中央孔(60)の周縁を外向きに押してディスク(６)を保持する。ボールチャッキング方式にてディスクを保持することにより、後記するように、ディスク(６)が正面を向いたまま、トレイ(４)を昇降させる所謂縦置きの装置が可能になる。
【０００８】
図２は、開位置に於けるトレイ(４)の平面図であり、キャビネット(２)を一点鎖線で示す。図３は、図２をＡ方向から見た正面図である。キャビネット(２)は上キャビネット(20)と下キャビネット(21)を突き合わせて構成され、下キャビネット(21)にはモータ(Ｍ)及びギア列(３)が設けられている。モータ(Ｍ)には、モータ(Ｍ)への給電電圧を変える制御回路(９)が接続されている。トレイ(４)の下面には、ギア列(３)の下流端のギアに噛合するラック(40)が設けられ、トレイ(４)はモータ(Ｍ)により駆動される。
【０００９】
トレイ(４)の上面両側には、ラック(41)(41)が形成され、上キャビネット(20)の内面両側にはラック(41)(41)に噛合するギア(10)(10)が回動自在に設けられている。カバー体(７)の下面両側にはギア(10)(10)に噛合するラック(70)(70)が設けられている。即ち、ギア(10)はトレイ(４)とカバー体(７)の両方に噛合し、トレイ(４)とカバー体(７)がギア(10)を挟んで互いに反対側に位置する。モータ(Ｍ)によりトレイ(４)が移動すると、ギア(10)を介してカバー体(７)がトレイ(４)とは逆向きに移動する。ギア(10)とラック(41)(70)とによって、カバー体(７)をトレイ(４)に連動して動かす搬送機構(１)を構成する。
トレイ(４)の下面右側には、突起(42)が設けられ、下キャビネット(21)には開位置にて突起(42)に押し込まれる第１のスイッチ(ＳＷ1)と、閉位置にて突起(42)に押し込まれる第２のスイッチ(ＳＷ2)が設けられている。両スイッチ(ＳＷ1)(ＳＷ2)は略ディスク(６)の直径の略半分の距離だけ離れており、トレイ(４)が何れかのスイッチ(ＳＷ1)(ＳＷ2)を押し込むと、トレイ(４)の移動が停止する。
【００１０】
以下にトレイ(４)の動作を説明する。
トレイの閉位置
トレイ(４)が閉位置にあるときは、突起(42)は第２のスイッチ(ＳＷ2)を押し込んでいる。図４(b)に示すように、カバー体(７)はトレイ(４)に被さり切欠き(22)を覆う。トレイ(４)は前後に出没するから、キャビネット(２)の上に物を置くことができる。
【００１１】
トレイの開位置
トレイ(４)を閉位置から開位置に移動させるときは、モータ(Ｍ)に通電する。図４(b)に示す位置からトレイ(４)が後退すると、ギア(10)が回転して、カバー体(７)が前進する。トレイ(４)は第１のスイッチ(ＳＷ1)を押し、図４(a)に示すように、トレイ(４)が開位置に達し、カバー体(７)が前進完了する。両スイッチ(ＳＷ1)(ＳＷ2)の距離は、ディスク(６)の直径の略半分であるから、トレイ(４)及びカバー体(７)は互いに逆向きにディスク(６)の直径の略半分の距離だけ移動する。
カバー体(７)は切欠き(22)から離れ、ディスク(６)を切欠き(22)を通ってトレイ(４)に載置することができる。また、トレイ(４)がキャビネット(２)からディスク(６)の直径の略半分の距離だけ突出しているから、トレイ(４)の上方はディスク(６)の直径に略等しい前後長さだけ開いている。これにより、ディスク(６)を切欠き(22)を通ってトレイ(４)に載置することができる。
【００１２】
このように、本例に関わる装置では、トレイ(４)をディスク(６)の直径の略半分の距離だけキャビネット(２)から排出し、カバー体(７)をトレイ(４)に連繋してディスク(６)の直径の略半分の距離だけトレイ(４)と逆向きに移動させることにより、トレイ(４)にディスク(６)を載置することができる。従って、トレイ(４)がキャビネット(２)から突出する量を従来よりも少なくでき、具体的には従来の約半分となり、キャビネット(２)の正面近傍に物を置くことができる。また、カバー体(７)の移動量は、ディスク(６)の直径の略半分であるから、キャビネット(２)の奥行きはディスク直径分の長さだけあればよく、キャビネット(２)は前後に長くならない。更に、カバー体(７)はディスク(６)の略半分を覆えばよいから、カバー体(７)の前後長さをディスク(６)の略半分の大きさとし、幅をディスク(６)の直径と略同じ大きさとすることもできる。
【００１３】
第２実施例
図６(a)、(b)は、他のディスク記録又は再生装置を示す側面図であり、モータ(Ｍ)及びギア列(３)を設けず、その代わりにトレイ(４)を後方に付勢する引張りバネ(８)を設けている。トレイ(４)の後端部に、化粧パネル(82)を設け、該化粧パネル(82)内に爪片(80)を枢支(81)している。該枢支部(81)には爪片(80)を反時計方向に付勢するネジリバネ(図示せず)が嵌められている。下キャビネット(21)の底面には、爪片(80)が引掛かる孔(23)が開設され、爪片(80)が孔(23)に嵌まって、トレイ(４)を閉位置に係止する。
図６(a)に示すように、トレイ(４)が開位置にて、引張りバネ(８)が縮んでいる。引張りバネ(８)に抗してトレイ(４)を押し込むと、ギア(10)が回転し、カバー体(７)を後方に移動させる。爪片(80)の先端部が下キャビネット(21)に接すると、爪片(80)は一旦枢支部(81)を中心に時計方向に回動するが、爪片(80)の先端部が孔(23)に対向すると、ネジリバネの付勢力により、爪片(80)の先端部が孔(23)に嵌まり、図６(b)に示すように、トレイ(４)を閉位置に係止する。カバー体(７)は切欠き(22)を覆って、トレイ(４)上のディスクを保護し、信号の記録又は再生がされる。
【００１４】
尚、トレイ(４)に連動して、カバー体(７)を移動させる搬送機構(１)として、図７に示すように、キャビネット(２)の側面内側に、２つのプーリ(16)(17)を前後に離して設け、該プーリ(16)(17)にトレイ(４)とカバー体(７)を結びワイヤ(18)(18)を掛ける構成も考えられる。トレイ(４)を開位置に引き出すときは、右側のプーリ(16)に掛かっているワイヤ(18)がカバー体(７)を前方に引っ張る。トレイ(４)を開位置から閉位置に向けて押し込むと、左側のプーリ(17)に掛かっているワイヤ(18)がカバー体(７)を後方に引っ張る。
【００１５】
図８(a)、(b)は、図１のディスク記録又は再生装置を立てて使用する状態を示す斜面図であり、(a)はトレイ(４)の開位置を、(b)はトレイ(４)の閉位置を夫々示す。本例にあっては、ディスク(６)が正面を向いたまま、トレイ(４)が昇降する所謂縦置きの装置であり、開位置にてトレイ(４)がキャビネット(２)から上方に突出する。本例にあっては、モータ(Ｍ)へ給電する制御回路(９)に特徴があり、具体的にはトレイ(４)の昇降状態により給電電圧を変える。トレイ(４)が水平に前後駆動されるときは、トレイ(４)の出没状態により給電電圧を変える必要はないから、キャビネット(２)内には、重力方向を検知するセンサ(図示せず)が設けられて、装置が縦に置かれたか横に置かれたかを検知する。
【００１６】
モータ(Ｍ)は直流モータであり、一般にコギングと呼ばれる内部負荷がある。また、モータ(Ｍ)にはギア列(３)が連繋している。従って、モータ(Ｍ)に通電されない状態にて、図２に示すラック(40)にモータ(Ｍ)を回転させる負荷、具体的には開位置に於けるトレイ(４)の自重が加わっても、ギア列(３)の減速比が大きい場合は、モータ(Ｍ)は容易に回転せず、トレイ(４)は自重で下降しない。尚、この場合のトレイ(４)の自重には、記録再生ユニット(５)の重さを含むのは言うまでもない。
しかし、トレイ(４)の移動速度を速く設定する場合には、ギア列(３)の減速比が小さくなるから、トレイ(４)の自重による負荷が、モータ(Ｍ)の内部負荷に減速比を乗じた値よりも大きくなり、トレイ(４)が開位置から自重で降下する虞れがある。この虞れを防ぐために、制御回路(９)は以下の３通りの電圧を設定している。
【００１７】
制御回路(９)には、トレイ(４)を自重に抗して上昇させる際にモータ(Ｍ)に印加する上昇電圧、トレイ(４)を下降させる際にモータ(Ｍ)に印加する下降電圧、トレイ(４)を開位置に保持する際に、モータ(Ｍ)に印加する保持電圧が設定されている。
保持電圧はトレイ(４)を上昇させる向きに印加され、トレイ(４)を自重に抗して保持するのに供給される電圧であるから、上昇電圧よりも低い。下降電圧は、上昇電圧、及び保持電圧と逆向きの電圧であり、トレイ(４)は自重にて下がろうとするから、下降電圧の絶対値は上昇電圧の絶対値よりも小さい。
【００１８】
トレイ下降時
トレイ(４)を下降する際に、モータ(Ｍ)に下降電圧を給電し続けると、トレイ(４)が急速に下降して、閉位置にてキャビネット(２)の底面に衝突する虞れがある。これでは、ディスク(６)を傷つける虞れがあるから、本例に係わる装置にあっては、以下のように、トレイ(４)を徐々に下降させている。
トレイ(４)を下降させる際の給電動作を、図９のフローチャートに示す。
先ず、操作釦(24)によりトレイ(４)を閉じる動作が選択されたか否かを判断する(Ｓ1)。トレイ(４)を閉じる動作が選択されたならば、モータ(Ｍ)に下降電圧を１００msec供給する(Ｓ2)。その後に、モータ(Ｍ)に保持電圧を１００msec供給して、トレイ(４)の下降を一旦停止する(Ｓ3)。再び、モータ(Ｍ)に下降電圧を１００msec供給する。この動作を、第２のスイッチ(ＳＷ2)がＯＮになるまで繰り返し(Ｓ4)、トレイ(４)を間欠駆動させながら、下降させる。
このように、トレイ(４)を間欠駆動させながら下降させることにより、トレイ(４)が急に下降することを防止し、トレイ(４)がキャビネット(２)に衝突する衝撃からディスク(６)を保護できる。尚、通電時間は１００msecに限定されない。
【００１９】
トレイ(４)を閉位置から上昇させる際には、図９に示すように、モータ(Ｍ)に上昇電圧を給電し(Ｓ5)、突起(42)が第１のスイッチ(ＳＷ1)を押し込むと(Ｓ6)、モータ(Ｍ)に保持電圧を給電してトレイ(４)を開位置にて停止させる(Ｓ7)。
尚、トレイ(４)が開位置にあるときに、電源をＯＦＦにすれば、トレイ(４)は下降して閉位置に達する。本例では、モータ(Ｍ)は電圧駆動するとしたが、電流駆動されてもよい。
【００２０】
第３実施例
図１０(a)、(b)は、他のディスク記録又は再生装置を示す側面図であり、(a)はトレイの開位置を、(b)はトレイの閉位置を示す。これは、ディスクをボールチャッキング方式ではなく、カバー体(７)に設けたクランパ(58)にて保持する。トレイ(４)はシャーシ(100)上を摺動し、記録再生ユニット(５)のベース(50)は、シャーシ(100)に昇降自在に枢支されて、閉位置にて上昇する。閉位置にてターンテーブル(51)とクランパ(58)が合わさってディスクを保持する。尚、ベース(50)を昇降させる機構は、周知であり記載を省く。
本例に関わる装置にあっても、トレイ(４)をディスクの直径の略半分の距離だけキャビネット(２)から排出し、カバー体(７)をトレイ(４)に連繋してディスク(６)の直径の略半分の距離だけトレイ(４)と逆向きに移動させることにより、トレイ(４)にディスク(６)を載置することができる。
【００２１】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】(a)、(b)は、ディスク記録又は再生装置の斜視図であり、(a)はトレイの閉位置を、(b)はトレイの開位置を夫々示す。
【図２】開位置に於けるトレイの平面図である。
【図３】図２をＡ方向から見た正面図である。
【図４】(a)、(b)はトレイの側面図であり、(a)はトレイの開位置を、(b)はトレイの閉位置を示す。
【図５】ボールチャッキング構造を示す側面断面図である。
【図６】(a)、(b)は、他のディスク記録又は再生装置を示す側面図であり、(a)はトレイの開位置を、(b)はトレイの閉位置を示す。
【図７】他のディスク記録又は再生装置を示す側面図である。
【図８】(a)、(b)は、図１のディスク記録又は再生装置を立てて使用する状態を示す斜面図であり、(a)はトレイの開位置を、(b)はトレイの閉位置を示す。
【図９】トレイを下降させる際の給電動作を示すフローチャートである。
【図１０】(a)、(b)は、他のディスク記録又は再生装置を示す側面図であり、(a)はトレイの開位置を、(b)はトレイの閉位置を示す。
【図１１】従来のディスク記録又は再生装置の側面図である。
【図１２】従来の他のディスク記録又は再生装置の側面図である。
【符号の説明】
(１)  搬送機構
(２)  キャビネット
(４)  トレイ
(６)  ディスク
(７)  カバー体
(10)  ギア
(41)  ラック
(70)  ラック
【図１】
0003653472.tif 000002
【図２】
0003653472.tif 000003
【図３】
0003653472.tif 000004
【図４】
0003653472.tif 000005
【図５】
0003653472.tif 000006
【図６】
0003653472.tif 000007
【図７】
0003653472.tif 000008
【図８】
0003653472.tif 000009
【図９】
0003653472.tif 000010
【図１０】
0003653472.tif 000011
【図１１】
0003653472.tif 000012
【図１２】
0003653472.tif 000013